(57)【特許請求の範囲】
【請求項１】
ベタ基礎の立ち上り部形成用PCaでなるキットAcにおいて、必要とする適宜な長さと高と厚みを有するPCaでなる横長の平板状の生コン堰止板を用い、生コン堰止板の長さ方向に、生コン堰止板の高さ方向の上端側を開放溝孔とした縦長状の適宜な縦溝高と溝幅の補強鉄筋縦溝貫通孔を、所定の寸法内の適宜な間隔を用いて複数孔を開溝し、更に、必要とする適宜な厚みと幅を有し、生コン堰止板と同板高とする平板状のPCaでなる幅決め板兼支持板を適宜な複数枚を用い、生コン堰止板の長さ方向の適宜な複数位置と幅決め板兼支持板の幅方向の適宜な中間辺とに、適宜な深さで縦長状の相互嵌め込縦溝孔を、生コン堰止板と複数枚の幅決め板兼支持板とがそれぞれ垂直で直角十文字状に強固に交叉結合できる幅で、対向する該双方板の上下端面側を開放溝孔として開溝し、該双方の嵌め込縦溝孔を対向させ直角十文字状に咬み合うよう相互に挿入し、該双方板の上下端面側が水平状に揃うよう強固に交叉結合させて立設し、幅決め板兼支持板の中間辺の相互嵌め込縦溝孔を境にして左右何れかの一面側を、立ち上り部幅決め板とし、他面側を内側用型枠支持板となし、立ち上り部幅決め板の上端面高を内側用型枠支持板の上端面高より僅かに高くし、相互嵌め込縦溝孔側の立ち上り部幅決め板の垂直壁面を内側用型枠固定縦壁面とし、更に内側用型枠固定縦壁面線から、立ち上り部の所定の寸法内の必要とする横幅値を確保して、他方側の垂直壁面を外側用型枠固定縦壁面とし、尚更に内側用型枠固定縦壁面線から外側用型枠固定縦壁面方向に、立ち上り部幅決め板の約三分の一程度の幅の立ち上り部幅決め板面を残して、残余の三分の二程度の幅の立ち上り部幅決め板を、上端面から必要とする適宜な深さまで切除して補強鉄筋載置台面を形成させ、補強鉄筋載置台下の立ち上り部幅決め板高に所定の鉄筋かぶり厚値を確保して立ち上り部幅決め板下端とし、内側用型枠固定縦壁面線から内側用型枠支持板の上端面上に、必要とする適宜な幅の内側用型枠載置面部を確保し、更に上端面上に適宜な内側用型枠下端固定具を備え、尚更に補強鉄筋載置台下の立ち上り部幅決め板下端側に、適宜な外側用型枠下端固定具を備えたことを特長とする、ベタ基礎の外周縁用に用いる、ベタ基礎の立ち上り部形成用PCaでなるキット。
【請求項２】
ベタ基礎の立ち上り部形成用PCaでなるキットAaにおいて、請求項１記載のベタ基礎の外周縁用に用いる、ベタ基礎の立ち上り部形成用PCaでなるキット二組を用い、該キットの立ち上り部幅決め板の外側用型枠固定縦壁面を左右に対向させて立設し、対向させる内側用型枠固定縦壁面線間の値に、立ち上り部の所定の寸法内の必要とする横幅値を確保して、該双方の外側用型枠固定縦壁面側を均等幅に垂直切除し、切除した該双方の外側用型枠固定縦壁面を一体的に結合させて、補強鉄筋載置台を形成させて合併幅決め板兼支持板となしたことを特長とする、ベタ基礎のスラブ内の立ち上り部に用いる、請求項１記載のベタ基礎の立ち上り部形成用PCaでなるキット。
【発明の詳細な説明】
【技術分野】
【０００１】
本発明は、ベタ基礎の立ち上り部の形成に関し、詳細にはベタ基礎の立ち上り部とスラブとのＬ状接続部や逆Ｔ状接続部に打ち継ぎ面が生じず、更にベタ基礎の立ち上り部から生コンクリートを打設しても生コンクリートがスラブ内に多量に流出しない、ベタ基礎の立ち上り部形成用PCaでなるキットに関する。
【背景技術】
【０００２】
従来技術に、ベタ基礎の立ち上り部形成用PCaでなるキットが提案されている。（特許文献１ご参照。）
【先行技術文献】
【特許文献】
【０００３】
【特許文献１】特許第４８６８６２７号
【発明の概要】
【発明が解決しようとする課題】
【０００４】
特許文献１の、ベタ基礎の立ち上り部形成用PCaでなるキットは、ベタ基礎の立ち上り部とスラブとのＬ状接続部や逆Ｔ状接続部に打ち継ぎ面が生じず、更にベタ基礎の立ち上り部から生コンクリートを打設しても生コンクリートがスラブ内に多量に流出せず、作業効率高くベタ基礎が得られる特長がある。
【０００５】
しかしながら、特許文献１のベタ基礎の立ち上り部形成用PCaでなるキットは、高額となる不経済性の問題点を有している。
【０００６】
即ち、該キットの構成は、異なる立体的形状の複数のPCaでなる部材を組み合わせてなる構成であり、PCaで立体的形状の部材を形成させるには、複雑な複数の成形型を必要とするため高額となり、その上に手作業工程を多く必要とするため成形の生産効率が悪く、PCa材料の使用量を多く必要とし、更に立体的形状のため製品容積が大きく、保管容積及び運送費が増加する。従って、該キットは高額となる不経済性の問題点を有している。
【０００７】
本発明は、上記の特許文献１のベタ基礎の立ち上り部形成用PCaでなるキットが、高額となる不経済性の問題点に鑑みてなされたもので、該キットの有する特長に遜色なく機能する、ベタ基礎の立ち上り部形成用PCaでなるキットを、より安価に提供することを目的とするものである。
【課題を解決するための手段】
【０００８】
本発明の第１の解決手段は、ベタ基礎の立ち上り部形成用PCaでなるキットAcにおいて、
一方の縦溝壁に補強鉄筋縦溝貫通孔を開孔し、他方の縦溝壁を短縮した下側溝外形体を用いるのに代えて、必要とする適宜な長さと高と厚みを有するPCaでなる横長の平板状の生コン堰止板を用い、生コン堰止板の長さ方向に、生コン堰止板の高さ方向の上端側を開放溝孔とした縦長状の適宜な縦溝高と溝幅の補強鉄筋縦溝貫通孔を、所定の寸法内の適宜な間隔を用いて複数孔を開溝する。
【０００９】
更に逆Ｔ形状でなる開口幅固定大溝付上蓋支持台と上側蓋溝外形体とを用いるのに代えて、必要とする適宜な厚みと幅を有し、生コン堰止板と同板高とする平板状のPCaでなる幅決め板兼支持板を適宜な複数枚を用い、生コン堰止板の長さ方向の適宜な複数位置と幅決め板兼支持板の幅方向の適宜な中間辺とに、適宜な深さで縦長状の相互嵌め込縦溝孔を、生コン堰止板と複数枚の幅決め板兼支持板とがそれぞれ垂直で直角十文字状に強固に交叉結合できる幅で、対向する該双方板の上下端面側を開放溝孔として開溝する。
【００１０】
該双方の相互嵌め込縦溝孔を対向させ直角十文字状に咬み合うよう相互に挿入し、該双方板の上下端面側が水平状に揃うよう強固に交叉結合させて立設し、幅決め板兼支持板の中間辺の相互嵌め込縦溝孔を境にして左右何れかの一面側を、立ち上り部幅決め板とし、他面側を内側用型枠支持板となし、立ち上り部幅決め板の上端面高を内側用型枠支持板の上端面高より僅かに高くし、相互嵌め込縦溝孔側の立ち上り部幅決め板の垂直壁面を内側用型枠固定縦壁面とし、更に内側用型枠固定縦壁面線から、立ち上り部の所定の寸法内の必要とする横幅値を確保して、他方側の垂直壁面を外側用型枠固定縦壁面とする。
【００１１】
尚更に内側用型枠固定縦壁面線から外側用型枠固定縦壁面方向に、立ち上り部幅決め板の約三分の一程度の幅の立ち上り部幅決め板面を残して、残余の三分の二程度の幅の立ち上り部幅決め板を、上端面から必要とする適宜な深さまで切除して補強鉄筋載置台面を形成させ、補強鉄筋載置台下の立ち上り部幅決め板高に所定の鉄筋かぶり厚値を確保して立ち上り部幅決め板下端とする。
【００１２】
内側用型枠固定縦壁面線から内側用型枠支持板の上端面上に、必要とする適宜な幅の内側用型枠載置面部を確保し、更に上端面上に適宜な内側用型枠下端固定具を備え、尚更に補強鉄筋載置台下の立ち上り部幅決め板下端側に、適宜な外側用型枠下端固定具を備えた、ベタ基礎の外周縁用に用いる、ベタ基礎の立ち上り部形成用PCaでなるキットの構成である。
【００１３】
本発明の第２の解決手段は、ベタ基礎の立ち上り部形成用PCaでなるキットAaにおいて、左右の縦溝壁に補強鉄筋縦溝貫通孔を開孔した凹溝状の下側溝外形体と開口幅固定大溝付上蓋支持台と更に上側蓋溝外形体とを用いるのに代えて、第１の解決手段のベタ基礎の外周縁用に用いる、ベタ基礎の立ち上り部形成用PCaでなるキット二組を用い、該キットの立ち上り部幅決め板の外側用型枠固定縦壁面を左右に対向させて立設し、対向させる内側用型枠固定縦壁面線間の値に、立ち上り部の所定の寸法内の必要とする横幅値を確保して、該双方の外側用型枠固定縦壁面側を均等幅に垂直切除し、切除した該双方の外側用型枠固定縦壁面を一体的に結合させて、補強鉄筋載置台を形成させて合併幅決め板兼支持板となした、ベタ基礎のスラブ内の立ち上り部に用いる、ベタ基礎の立ち上り部形成用PCaでなるキットの構成である。
【００１４】
上記及び以下に記載のPCaとは、プレキャストコンクリートの略称である。所定の寸法とは、建築基準法及びそれに基づく告示等、更に建設関係団体等の規定に基づく寸法である。
【００１５】
第１の解決手段では、該キットの生コン堰止板の現場での配設位置は、構築するベタ基礎の立ち上り部のそれぞれの１辺の内側縦壁線と同一位置であり、用いる複数の生コン堰止板の総長さは立ち上り部の内側の１辺長と同長となる。生コン堰止板の１枚単位の長さに適宜な長さが用いられるが、取り扱いが容易で、その上に、複数の生コン堰止板を左右に連続させて配設するとき、連続する生コン堰止板相互間に、所定の寸法内の適宜な等間隔に補強鉄筋を挿入することができる間隔の補強鉄筋縦溝貫通孔を開孔できる長さを用いるとよい。
【００１６】
なお、連続する生コン堰止板相互間に、所定の寸法内の適宜な等間隔に補強鉄筋を挿入することができる間隔の補強鉄筋縦溝貫通孔を開孔するに限定されることなく、スラブ補強鉄筋の所定の寸法は５センチの倍数の格子間隔が用いられており、縦溝幅中心線間隔に５センチまたは５センチの適宜な倍数の補強鉄筋縦溝貫通孔を開孔して用いることができる。
【００１７】
また、補強鉄筋を挿入して用いるための補強鉄筋縦溝貫通孔は、必ずしも該縦溝貫通孔に限定して用いるものではなく、生コンクリートが多量に流出しない適宜な孔径の補強鉄筋貫通孔を開孔して用いることができる。
【００１８】
生コン堰止板の厚みは適宜に用いられるが、立ち上り部から打設される生コンクリートを生コン堰止板堰止板が確実に堰止することができる厚みを必要とし、また幅決め板兼支持板の厚みは、該生コン堰止板を確実に支持できる厚みを必要とし、更に外側用型枠及び内側用型枠を確実に支持できる厚みを必要とする。
【００１９】
生コン堰止板の適宜な高さは、ベタ基礎のスラブの所定の寸法の厚さを満たし、所定の根入れ深さを考慮した高さを用いる。
【００２０】
生コン堰止板の適宜な複数位置に適宜な径の補助貫通孔を開孔して用いることができる。補助貫通孔に補強鉄筋を挿入して用いたり、固定用孔として、生コン堰止板を捨てコンクリートに双方間を鋼線で結線して固定させたり、立ち上り部用補強鉄筋を生コン堰止板に固定させるのに用いられる。更に、幅決め板兼支持板にも同様に開孔して、上記同様に用いられる。
【００２１】
生コン堰止板に開溝する相互嵌め込縦溝孔の適宜な複数位置とは、ベタ基礎の立ち上り部から打設される生コンクリートを生コン堰止板が堰止し、堰止した生コン堰止板を幅決め板兼支持板が直角十文字状に強固に交叉結合して確実に支持することができる適宜な間隔の複数位置であると共に、内側用型枠と外側用型枠とを確実に支持する上に、内側用型枠が内側用型枠固定縦壁に、外側用型枠が外側用型枠固定縦壁に当接して、形成される立ち上り部のコンクリート横幅が、全長にわたり必要とする幅で直線状に得られる間隔の複数位置である。
【００２２】
相互嵌め込縦溝孔の開放溝孔側は、生コン堰止板及び幅決め板兼支持板の何れの側の下端側や上端側でもよく、相手側の板厚に見合った開溝幅の相互嵌め込縦溝孔を双方に開溝し、双方の上下端面側が水平状に揃うよう溝底同士を当接させるよう挿入することで、該双方板を強固に直角十文字状に咬み合せ、交叉結合させることができる。
【００２３】
なお、相互嵌め込縦溝孔の開溝幅は、相手側の板厚に見合った開溝幅に限定されるものではなく、幅決め板兼支持板側の開溝幅を適宜に広く開溝することで該双方を容易に十文字状に交叉させることができ、開溝内の間隙に適宜な固定補助材等を挿入することで双方を強固に交叉結合させることができる。
【００２４】
また、生コン堰止板と幅決め板兼支持板との双方に相互嵌め込縦溝孔を開溝し、交叉結合させて用いるに限定して用いるものではなく、生コン堰止板の両側垂直面に、それぞれ独立した立ち上り部幅決め板及び内側用型枠支持板を垂直で直角十文字状になるよう当接させ、双方を適宜な部材を用いて螺子止着や強固に接着等、適宜な方法で連結させて、立設して用いることができる。
【００２５】
第２の解決手段では、第１の解決手段のベタ基礎の外周縁用に用いる、ベタ基礎の立ち上り部形成用PCaでなるキット二組を用い、該キットの立ち上り部幅決め板の外側用型枠固定縦壁面を左右に対向させて立設し、対向させる内側用型枠固定縦壁面線間の値に、立ち上り部の所定の寸法内の必要とする横幅値を確保して、該双方の外側用型枠固定縦壁面側を均等幅に垂直切除し、切除した該双方の外側用型枠固定縦壁面を一体的に結合させて、補強鉄筋載置台を形成させて合併幅決め板兼支持板となしたことにより、二枚の生コン堰止板と二枚の合併幅決め板兼支持板とが井桁状に強固に交叉結合する。
【発明の効果】
【００２６】
第１の解決手段では、平板状の生コン堰止板と平板状の幅決め板兼支持板とを用い、双方を直角十文字状に立体的に交叉結合させて用いることにより、立体的形状の部材を組み合わせてなる、ベタ基礎の外周縁用に用いる、ベタ基礎の立ち上り部形成用PCaでなるキットと遜色のない機能を備えた該キットが得られる。
【００２７】
該双方板が平板状であるため、平板状のPCaでなる部材を形成させるには安価な成形型で容易に形成させることができる上に、PCa材料の使用量を少なく、しかも成形に熟練した手作業工程を多く必要とせず、更に平板状であるため製品容積が小さく、その上に分解保管が可能であり保管容積が小さく、運送費が小額で済む。
【００２８】
第２の解決手段では、第１の解決手段に用いる該生コン堰止板を共通部材として用いられることにより専用の成形型を必要とせず、更に合併幅決め板兼支持板は、第１の解決手段に用いると幅決め板兼支持板の成形型を一部改良することで容易に転用して用いられる。
【００２９】
【図面の簡単な説明】
【００３０】
【図１】（a）  PCaでなる平板状の生コン堰止板の斜視図。（b）PCaでなる平板状の幅決め板兼支持板２枚を並べた斜視図。（c）PCaでなる平板状の生コン堰止板と平板状の幅決め板兼支持板とを交叉結合させてなる、外周縁用に用いる、ベタ基礎の立ち上り部形成用PCaでなるキットAdの斜視図。
【図２】（a）  外周縁用に用いる、ベタ基礎の立ち上り部形成用PCaでなるキットAdの縦断面図。
【図３】（a）PCaでなる２枚の平板状の幅決め板兼支持板の、双方の外側用型枠固定縦壁面を対向させた立面図。（b）対向させた２枚の平板状の幅決め板兼支持板が一体化してなる合併幅決め板兼支持板の立面図。（c）PCaでなる平板状の生コン堰止板の立面図。（d）２枚のPCaでなる平板状の生コン堰止板と２枚の平板状の合併幅決め板兼支持板とを井桁状に交叉結合させてなる、ベタ基礎のスラブ内に用に用いる、立ち上り部形成用PCaでなるキットAeの平面図。（e）ベタ基礎のスラブ内の立ち上り部形成用PCaでなるキットAeの縦断面図。
【図４】（a）外周縁用に用いる該キットAdとスラブ内に用いる該キットAeとの配設状態を説明する平面図。図中の実線円形内は生コン堰止板間に空間隔を空け、延長堰止用鋼板で接続する状態を示す。（b）延長堰止用鋼板の斜視図。
【発明を実施するための形態】
【００３１】
以下、図を用いて本発明の実施形態を説明する。図中の一点鎖線枠内の点線山形状線は立ち上り部用型枠の配設位置を示し、点線斜線はコンクリートの形成位置を示し、点直線は補強鉄筋を示す。白抜き矢印は結合することを示す。
【００３２】
図１と図２更に図４に基づいて外周縁用に用いる、ベタ基礎の立ち上り部形成用PCaでなるキットAdを説明すれば、必要とする適宜な長さと高と厚みを有するPCaでなる横長の平板状の生コン堰止板５５を用い、生コン堰止板５５の長さ方向に、生コン堰止板５５の高さ方向の上端側を開放溝孔とした、縦長状の適宜な縦溝高と溝幅の補強鉄筋縦溝貫通孔２６を、所定の寸法内の適宜な間隔を用いて複数孔を開溝する。
【００３３】
更に、必要とする適宜な厚みと幅を有し、生コン堰止板５５と同板高とする平板状のPCaでなる幅決め板兼支持板５６を適宜な複数枚として２枚を用い、生コン堰止板５５の長さ方向の適宜な複数位置と幅決め板兼支持板５６の幅方向の適宜な中間辺とに、適宜な深さで縦長状の相互嵌め込縦溝孔５７を、生コン堰止板５５と２枚の幅決め板兼支持板５６とがそれぞれ垂直で直角十文字状に強固に交叉結合できる幅で、対向する該双方板の上下端面側を開放溝孔として開溝する。
【００３４】
該双方の相互嵌め込縦溝孔５７を対向させ直角十文字状に咬み合うよう相互に挿入し、該双方板の上下端面側が水平状に揃うよう強固に交叉結合させて立設し、幅決め板兼支持板５６の中間辺の相互嵌め込縦溝孔５７を境にして左右何れかの一面側を、立ち上り部幅決め板５８とし、他面側を内側用型枠支持板５９となし、立ち上り部幅決め板５８の上端面高を内側用型枠支持板５９の上端面高より僅かに高くし、高くしてなる相互嵌め込縦溝孔５７側の立ち上り部幅決め板５８の垂直壁面を内側用型枠固定縦壁面６０とし、更に内側用型枠固定縦壁面線６０から、立ち上り部の所定の寸法内の必要とする横幅値を確保して、他方側の垂直壁面を外側用型枠固定縦壁面６１とする。
【００３５】
尚更に内側用型枠固定縦壁面線６０から外側用型枠固定縦壁面６１方向に、立ち上り部幅決め板５８の約三分の一程度の幅の立ち上り部幅決め板面５８を残して、残余の三分の二程度の幅の立ち上り部幅決め板５８を、上端面から必要とする適宜な深さまで切除して補強鉄筋載置台６２面を形成させ、補強鉄筋載置台６２下の立ち上り部幅決め板５８高に所定の鉄筋かぶり厚値を確保して立ち上り部幅決め板５８下端とする。
【００３６】
内側用型枠固定縦壁面線６０から内側用型枠支持板５９の上端面上に、必要とする適宜な幅の内側用型枠載置面部６３を確保し、更に上端面上に適宜な内側用型枠下端固定具６４を備え、尚更に補強鉄筋載置台６２下の立ち上り部幅決め板５８下端側に、適宜な外側用型枠下端固定具６５を備える。
【００３７】
図４aの外周縁用に用いるキットAdとスラブ内に用いるキットAeとの配設状態説明平面図で示すように、該キットの生コン堰止板５５の現場での配設位置は、構築するベタ基礎の立ち上り部６６のそれぞれの１辺の内側縦壁線６７と同一位置であり、用いる複数の生コン堰止板５５の総長さは立ち上り部６６の内側の１辺長と同長となる。生コン堰止板５５の１枚単位の長さに適宜な長さが用いられるが、取り扱いが容易で、その上に、複数の生コン堰止板５５を左右に連続させて配設するとき、連続する生コン堰止板５５相互間に、所定の寸法内の適宜な等間隔にスラブ用補強鉄筋２７を挿入することができる間隔の補強鉄筋縦溝貫通孔２６を開孔できる長さを用いるとよい。
【００３８】
なお、立ち上り部６６の内側の１辺長に対し、連続させる生コン堰止板５５の総長さが短いときは、図４aの図中の実線円形内に示すように、連続させる生コン堰止板５５の適宜な単数または複数位置の相互間に、不足する長さ分と同等幅の空間隔６８を設け、図４bに示す延長堰止用鋼板６９を別途に用意し、該空間隔６８を延長堰止用鋼板６９で塞ぐことで、容易に立ち上り部の内側の１辺長に合致させることができ、生コンの流出を防止する。また、左右に連続して用いる複数の生コン堰止板５５相互間の間隔を、生コンが多量に流出しない範囲内で拡げて用いることにより容易に合致させて用いることができる。尚更に生コン堰止板５５は容易に切断可能であり、切断して合致させて用いることができる。
【００３９】
連続する生コン堰止板５５相互間に、所定の寸法内の適宜な等間隔にスラブ用補強鉄筋２７を挿入することができる間隔の補強鉄筋縦溝貫通孔２６を開孔するに限定されることなく、スラブ用補強鉄筋２７の所定の寸法は５センチの倍数の格子間隔が用いられており、縦溝幅中心線間隔に５センチまたは５センチの適宜な倍数の補強鉄筋縦溝貫通孔２６を開孔して用いることができる。
【００４０】
また、スラブ用補強鉄筋２７を挿入して用いるための補強鉄筋縦溝貫通孔２６は、必ずしも該縦溝貫通孔２６に限定して用いるものではなく、生コンクリートが多量に流出しない適宜な孔径の補強鉄筋貫通孔を開孔して用いることができる。
【００４１】
生コン堰止板５５の厚みは適宜に用いられるが、立ち上り部から打設される生コンクリートを生コン堰止板堰止板５５が確実に堰止することができる厚みを必要とし、また幅決め板兼支持板５６の厚みは、該生コン堰止板５５を確実に支持できる厚みを必要とし、更に外側用型枠７２及び内側用型枠７０を確実に支持できる厚みを必要とする。
【００４２】
生コン堰止板５５の適宜な高さは、ベタ基礎のスラブの所定の寸法の厚さを満たし、所定の根入れ深さを考慮した高さを用いる。
【００４３】
なお、生コン堰止板５５の適宜な複数位置に適宜な径の補助貫通孔７１を開孔して用いることができる。補助貫通孔７１にスラブ用補強鉄筋２７を挿入して用いたり、固定用孔として、生コン堰止板５５を捨てコンクリートに双方間を鋼線で結線して固定させたり、立ち上り部用補強鉄筋３３を生コン堰止板５５に同様に固定させるのに用いる。更に、幅決め板兼支持板５６にも同様に開孔して、上記同様に用いられる。
【００４４】
生コン堰止板５５に開溝する相互嵌め込縦溝孔５７の適宜な複数位置としての二箇所の位置は、立ち上り部６６から打設された生コンクリートを生コン堰止板５５が堰止し、堰止した生コン堰止板５５を幅決め板兼支持板５６が直角十文字状に交叉結合して確実に支持することができる、適宜な間隔の二箇所位置であると共に、内側用型枠７０と外側用型枠７２とを確実に支持する上に、内側用型枠７０が内側用型枠固定縦壁６０に、外側用型枠７２が外側用型枠固定縦壁６１に当接して、形成される立ち上り部のコンクリート横幅が、全長にわたり必要とする横幅で直線状に得られる間隔の二箇所位置である。
【００４５】
相互嵌め込縦溝孔５７の開放溝孔側は、生コン堰止板５５及び幅決め板兼支持板５６の何れの側の下端側や上端側でもよく、相手側の板厚に見合った開溝幅の相互嵌め込縦溝孔５７を双方に開溝し、双方の上下端面側が水平状に揃うよう溝底同士を当接させるよう挿入することで、該双方板を強固に直角十文字状に咬み合せ、交叉結合させることができる。
【００４６】
なお、相互嵌め込縦溝孔５７の開溝幅は、相手側の板厚に見合った開溝幅に限定されるものではなく、幅決め板兼支持板５６側の開溝幅を適宜に広く開溝することで該双方を容易に十文字状に交叉させることができ、開溝内の間隙に適宜な固定補助材等を挿入することで双方を強固に交叉結合させることができる。
【００４７】
内側用型枠固定縦壁面線６０から内側用型枠支持板５９の上端面上に、必要とする適宜な幅の内側用型枠載置面部６３を確保し、更に上端面上に適宜な内側用型枠下端固定具６４を備える。
【００４８】
なお、適宜な内側用型枠下端固定具６４として、適宜な幅と厚みの平板鋼板をほぼN字状に折曲げて内側用型枠下端固定具６４とし、幅決め板兼支持板５６側の相互嵌め込縦溝孔５７の開溝幅を適宜に広く開溝し、内側用型枠下端固定具６４の下方側の折曲げ端を相互嵌め込縦溝孔５７に挿入し、生コン堰止板５５の上端上と内側用型枠下端固定具６４上に、必要とする適宜な幅の内側用型枠載置面部６３を確保し、内側用型枠下端固定具６４の上方側の折曲げ端を折曲げ等することにより、該双方を強固に交叉結合させて用いることができると共に、内側用型枠下端固定具６４の一端側が強固に固定され、内側用型枠７０の下端を強固に固定することができる。
【００４９】
尚更に補強鉄筋載置台６２下の立ち上り部幅決め板５８下端側に、適宜な外側用型枠下端固定具６５として、適宜な幅と厚みの平板鋼板を適宜なコの字状に折曲げて外側用型枠下端固定具６５とし、外側用型枠固定縦壁面６１面端から長さ方向に外側用型枠７２の必要とする厚み幅値を確保して板端側を上方側に折曲げることにより、外側用型枠７２の下端側を強固に固定し、他板端側を補強鉄筋載置台６２下の立ち上り部幅決め板５８下端側に適宜な切込み溝を開溝して挿入することで外側用型枠下端固定具６５は固定される。外側用型枠下端固定具６５の平板面上に固定穴７３を開穴することにより、コンクリート釘で捨てコンクリート上の基準線合わせて外側用型枠下端固定具６５を固定させることで幅決め板兼支持板５６を定位置に配設固定することができる。
【００５０】
他の実施形態として、図示しないが、生コン堰止板５５と幅決め板兼支持板５６との双方に相互嵌め込縦溝孔５７を開溝し、交叉結合させて用いるに限定して用いるものではなく、生コン堰止板５５の両側垂直面に、それぞれ独立した立ち上り部幅決め板５８及び内側用型枠支持板５９を垂直で直角十文字状になるよう当接させ、双方を適宜な部材を用いて螺子止着や強固に接着等、適宜な方法で連結させて、立設して用いることができる。
【００５１】
上述の、平板状の生コン堰止板５５と平板状の幅決め板兼支持板５６とを交叉結合させて立体的形状に形成させた、ベタ基礎の外周縁用に用いる、ベタ基礎の立ち上り部形成用PCaでなるキットAd複数を、捨てコンクリート上の基準線に合わせ、必要とする複数台の該キットの生コン堰止板５５を現場で連続させて立設し、補強鉄筋載置台６２面上に立ち上り部用の補強鉄筋３３を載置し、補強鉄筋縦溝貫通孔２６を通してベタ基礎のスラブ用の補強鉄筋２７と連結させ、内側用型枠７０が内側用型枠固定縦壁６０に、外側用型枠７２が外側用型枠固定縦壁６１に当接して立ち上り部６６の横幅が確保され、内側用型枠下端固定具６４と外側用型枠下端固定具６５とでそれぞれの該型枠の下端側を固定し、双方の型枠上端側を適宜な立ち上り部横幅上端固定具７４で固定する。
【００５２】
立ち上り部６６の上端口から生コンクリートを打設すると、生コン堰止板５５により生コンクリートがベタ基礎のスラブ側に、多量流出することを阻止され、しかも立ち上り部６６とスラブとのＬ状接続部に打ち継ぎ面が生じることなく、ベタ基礎の外周縁の立ち上り部を形成させることができる。
【００５３】
図３及び図４に基づいてベタ基礎のスラブ内の立ち上り部形成用PCaでなるキットAe を説明すれば、２枚の幅決め板兼支持板５６の、立ち上り部幅決め板５８の外側用型枠固定縦壁面６１を左右に対向させて立設し、対向する内側用型枠固定縦壁面線６１間の値に、立ち上り部の所定の寸法内の必要とする横幅値を確保して、該双方の外側用型枠固定縦壁面６１側を均等幅に垂直切除し、切除した該双方の外側用型枠固定縦壁６１面を一体的に結合させて、連結した補強鉄筋載置台６２を形成させて合併幅決め板兼支持板７５を形成させる。
【００５４】
２枚の生コン堰止板５５を対向させ、生コン堰止板５５の対向するそれぞれの相互嵌め込縦溝孔５７に、２枚の合併幅決め板兼支持板７５のそれぞれの相互嵌め込縦溝孔５７を直角十文字状に咬み合せ、交叉結合させることで１組の該キットAeが形成される。
【００５５】
必要とする複数の該キットAeを捨てコンクリート上の基準線に合わせ、生コン堰止板５５を現場で連続させて立設し、補強鉄筋載置台６２面上に立ち上り部用の補強鉄筋３３を載置し、補強鉄筋縦溝貫通孔２６を通して左右のベタ基礎のスラブ用の補強鉄筋２７と連結させ、それぞれの内側用型枠固定縦壁６０に内側用型枠７０を当接することで立ち上り部６６の横幅が確保され、内側用型枠下端固定具６４でそれぞれの該型枠７０の下端側を固定し、双方の型枠上端側を適宜な立ち上り部横幅上端固定具７４で固定する。
【００５６】
なお、合併幅決め板兼支持板７５の下端側に適宜な下端固定具７６を備えることで、合併幅決め板兼支持板７５を捨てコンクリート上の基準線に合わせて固定させることができる。
【００５７】
立ち上り部６６の上端口から生コンクリートを打設すると、生コン堰止板５５により生コンクリートがベタ基礎のスラブ側に、多量に流出することを阻止され、しかも立ち上り部６６とスラブとの逆Ｔ状接続部に打ち継ぎ面が生じることなく、ベタ基礎のスラブ内の立ち上り部を形成させることができる。
【００５８】
上述以外でも、本発明の主旨を逸脱しない範囲内であれば、他の構成等を用いることができる。
【符号の説明】
【００５９】
Ａd   PCaでなる平板状の生コン堰止板と平板状の幅決め板兼支持板とを交叉結合させてなる、外周縁用に用いる、ベタ基礎の立ち上り部形成用PCaでなるキット。 
Ａe   PCaでなる平板状の生コン堰止板と平板状の合併幅決め板兼支持板とを交叉結合させてなる、ベタ基礎のスラブ内用に用いる、立ち上り部形成用PCaでなるキット。
２６  補強鉄筋縦溝貫通孔。
２７  スラブ用補強鉄筋。
３３  立ち上り部用補強鉄筋。
５５  生コン堰止板。
５６  幅決め板兼支持板。
５７  相互嵌め込縦溝孔。
５８  立ち上り部幅決め板。
５９  内側用型枠支持板。
６０  内側用型枠固定縦壁。
６１  外側用型枠固定縦壁。
６２  補強鉄筋載置台。
６３  内側用型枠載置面部。
６４  内側用型枠下端固定具。
６５  外側用型枠下端固定具。
６６  立ち上り部。
６７  内側縦壁線。
６８  不足する長さ分と同等幅の空間隔。
６９  延長堰止用鋼板。
７０  内側用型枠。
７１  補助貫通孔。
７２  外側用型枠。
７３  固定穴。
７４  立ち上り部横幅上端固定具。
７５  合併幅決め板兼支持板。
７６  下端固定具。
【要約】
【課題】
平板状の生コン堰止板と幅決め板兼支持板とを直角十文字状に交叉結合させて用い、立体的形状の部材を組合せてなるベタ基礎の立ち上り部形成用PCaでなるキットに遜色のない機能を備えた該キットを安価に得る。
【解決手段】
補強鉄筋縦溝貫通孔２６を備えたPCaでなる生コン堰止板５５と幅決め板兼支持板５６とに相互嵌め込縦溝孔５７を開溝して十文字状に交叉結合させて生コンの流出を防止すると共に立ち上り部用型枠を支持させ、立ち上り部幅決め板５８の高さを内側用型枠支持板５９高より僅かに高くして内側用型枠固定縦壁面６０を形成させ、立ち上り部幅決め板５８の上端面から適宜な深さまで切除して補強鉄筋載置台６２面を形成させると共に外側用型枠固定縦壁面６１形成させ、内側用型枠固定縦壁面６０に内側用型枠７０を外側用型枠固定縦壁面６１に外側用型枠７２を当接させて立ち上り部の必要横幅を確保する。
【選択図】  図１【図１】
0005164294.tif 000002
【図２】
0005164294.tif 000003
【図３】
0005164294.tif 000004
【図４】
0005164294.tif 000005